(57)【要約】【課題】登録した発信番号からの発信については、代表選択を実施することなく当該発信番号とあらかじめ対応付けて登録した着信番号に着信させる。【解決手段】発信端末から代表着信番号への呼接続が要求された場合、呼接続装置にあらかじめ格納されている代表着信番号と発信番号と着信番号との対応付けに基づいて、当該発信端末に付与された発信番号と対応付けられた着信番号が付与された着信端末へ呼接続装置から呼接続が要求される。【選択図】図１
2009225293.tif 000002
【特許請求の範囲】
【請求項１】
発信を行う発信端末から該発信端末に付与された発信番号を用いて、複数の着信端末それぞれに付与された複数の着信番号を代表する代表着信番号へ呼の接続が要求された場合、前記発信番号と前記代表着信番号とに基づいて、前記発信番号と前記代表着信番号とにあらかじめ対応付けられた前記複数の着信番号のうちの１つの着信番号である優先着信番号へ前記呼の接続を要求する呼接続装置。
【請求項２】
請求項１に記載の呼接続装置において、
前記発信番号と前記代表着信番号と前記優先着信番号とをあらかじめ対応付けて格納する記憶部と、
前記発信番号と前記代表着信番号とに基づいて、前記記憶部から前記優先着信番号を検索し、該検索された優先着信番号へ前記呼の接続を要求する呼接続処理部とを有することを特徴とする呼接続装置。
【請求項３】
請求項２に記載の呼接続装置において、
前記呼接続処理部は、前記記憶部に前記発信番号と前記代表着信番号とに対応付けられた前記優先着信番号が格納されていない場合、前記複数の着信番号のうちの任意の着信番号へ前記呼の接続を要求することを特徴とする呼接続装置。
【請求項４】
請求項２に記載の呼接続装置において、
前記呼接続処理部は、前記発信端末と前記優先着信番号が付与された着信端末との間の通信が確立できない場合、前記複数の着信番号のうちの任意の着信番号へ前記呼の接続を要求することを特徴とする呼接続装置。
【請求項５】
請求項２に記載の呼接続装置において、
前記記憶部は、当該呼接続装置と接続されたＷｅｂ用端末からアクセス可能であり、前記発信番号と前記代表着信番号と前記優先着信番号とを前記Ｗｅｂ用端末から登録、変更および削除可能とすることを特徴とする呼接続装置。
【請求項６】
発信を行う発信端末と着信を行う複数の着信端末との間の呼の接続を行う呼接続装置における前記着信端末を選択する着信選択方法であって、
前記発信端末から該発信端末に付与された発信番号を用いて、前記複数の着信端末それぞれに付与された複数の着信番号を代表する代表着信番号への呼の接続が要求された場合、前記発信番号と前記代表着信番号とに基づいて、前記発信番号と前記代表着信番号とにあらかじめ対応付けられた前記複数の着信番号のうちの１つの着信番号である優先着信番号へ前記呼の接続を要求する処理を有する着信選択方法。
【請求項７】
請求項６に記載の着信選択方法において、
当該呼接続装置が有する、前記発信番号と前記代表着信番号と前記優先着信番号とをあらかじめ対応付けて格納する記憶部から、前記発信番号と前記代表着信番号とに基づいて、前記優先着信番号を検索する処理と、
前記検索された優先着信番号へ前記呼の接続を要求する処理とを有することを特徴とする着信選択方法。
【請求項８】
請求項７に記載の着信選択方法において、
前記記憶部に前記発信番号と前記代表着信番号とに対応付けられた前記優先着信番号が格納されていない場合、前記複数の着信番号のうちの任意の着信番号へ前記呼の接続を要求する処理を有することを特徴とする着信選択方法。
【請求項９】
請求項６または請求項７に記載の着信選択方法において、
前記発信端末と前記優先着信番号が付与された着信端末との間の通信が確立できない場合、前記複数の着信番号のうちの任意の着信番号へ前記呼の接続を要求する処理を有することを特徴とする着信選択方法。
【発明の詳細な説明】
【技術分野】
【０００１】
本発明は、ＩＰ網を介して音声や映像通信を行う電話端末間を接続する呼接続装置及び着信選択方法に関する。
【背景技術】
【０００２】
現在、コールセンタなどにおける１つの代表となる番号（以下、代表番号と称する）で複数の着信を受け付ける電話通信では、着信完了率を向上させるため複数の端末あるいは回線で着信が可能な代表選択制御を行う着信方式が提供されている。
【０００３】
例えば、代表番号に着信があった時に、あらかじめ登録された複数の端末あるいは回線の中から、あらかじめ決められた優先順位（順番）にしたがって着信可能な端末あるいは回線を選択していく方式が提供されている（例えば、特許文献１参照。）。
【０００４】
また、代表番号に着信があった時に、端末あるいは回線毎の着信回数を平準化するために、前回着信した端末あるいは回線の次候補から着信可能な端末あるいは回線を順番に選択する方式が提供されている。
【０００５】
また、代表番号に着信があった時に、複数の端末あるいは回線に一斉に着信させ、その中から最初に応答した端末あるいは回線に接続する方式が提供されている。
【特許文献１】特開平５−２２７３０３号公報
【発明の開示】
【発明が解決しようとする課題】
【０００６】
上述した技術においては、代表番号に着信があった時点で、あらかじめ決められた選択方式により自動的に着信順位を決定する、または一斉に同報着信させて最も早く応答したものに着信可能とするものである。
【０００７】
そのため、例えば、発信者が代表番号制御を行っている会社等の代表番号に電話をかけ、所望の担当者と会話を行った後、同じ発信者が再度代表番号に電話をかけた場合、当該担当者と会話をするには、当該担当者へ再度つないでもらう必要があり、その手間がかかってしまうという問題点がある。また、その手間を省くためには、当該担当者専用の番号を設けなければならないという問題点がある。
【０００８】
本発明は、上述した課題を解決する呼接続装置及び着信選択方法を提供することを目的とする。
【課題を解決するための手段】
【０００９】
上記目的を達成するために本発明は、
呼を接続する接続装置であって、発信を行う発信端末から該発信端末に付与された発信番号を用いて、複数の着信端末それぞれに付与された複数の着信番号を代表する代表着信番号へ呼の接続が要求された場合、前記発信番号と前記代表着信番号とに基づいて、前記発信番号と前記代表着信番号とにあらかじめ対応付けられた前記複数の着信番号のうちの１つの着信番号である優先着信番号へ前記呼の接続を要求する。
【００１０】
また、前記発信番号と前記代表着信番号と前記優先着信番号とをあらかじめ対応付けて格納する記憶部と、
前記発信番号と前記代表着信番号とに基づいて、前記記憶部から前記優先着信番号を検索し、該検索された優先着信番号へ前記呼の接続を要求する呼接続処理部とを有することを特徴とする。
【００１１】
また、前記呼接続処理部は、前記記憶部に前記発信番号と前記代表着信番号とに対応付けられた前記優先着信番号が格納されていない場合、前記複数の着信番号のうちの任意の着信番号へ前記呼の接続を要求することを特徴とする。
【００１２】
また、前記呼接続処理部は、前記発信端末と前記優先着信番号が付与された着信端末との間の通信が確立できない場合、前記複数の着信番号のうちの任意の着信番号へ前記呼の接続を要求することを特徴とする。
【００１３】
また、前記記憶部は、当該呼接続装置と接続されたＷｅｂ用端末からアクセス可能であり、前記発信番号と前記代表着信番号と前記優先着信番号とを前記Ｗｅｂ用端末から登録、変更および削除可能とすることを特徴とする。
【００１４】
また、発信を行う発信端末と着信を行う複数の着信端末との間の呼の接続を行う呼接続装置における前記着信端末を選択する着信選択方法であって、
前記発信端末から該発信端末に付与された発信番号を用いて、前記複数の着信端末それぞれに付与された複数の着信番号を代表する代表着信番号への呼の接続が要求された場合、前記発信番号と前記代表着信番号とに基づいて、前記発信番号と前記代表着信番号とにあらかじめ対応付けられた前記複数の着信番号のうちの１つの着信番号である優先着信番号へ前記呼の接続を要求する処理を有する。
【００１５】
また、当該呼接続装置が有する、前記発信番号と前記代表着信番号と前記優先着信番号とをあらかじめ対応付けて格納する記憶部から、前記発信番号と前記代表着信番号とに基づいて、前記優先着信番号を検索する処理と、
前記検索された優先着信番号へ前記呼の接続を要求する処理とを有することを特徴とする。
【００１６】
また、前記記憶部に前記発信番号と前記代表着信番号とに対応付けられた前記優先着信番号が格納されていない場合、前記複数の着信番号のうちの任意の着信番号へ前記呼の接続を要求する処理を有することを特徴とする。
【００１７】
また、前記発信端末と前記優先着信番号が付与された着信端末との間の通信が確立できない場合、前記複数の着信番号のうちの任意の着信番号へ前記呼の接続を要求する処理を有することを特徴とする。
【発明の効果】
【００１８】
以上説明したように本発明によれば、登録した発信番号からの発信については、代表選択を実施することなく当該発信番号とあらかじめ対応付けて登録した着信番号に着信させることができる。また、特定の着信者に着信できない場合には、代表選択を実施することにより、着信完了率を向上させることも可能である。
【発明を実施するための最良の形態】
【００１９】
以下に、本発明の実施の形態について図面を参照して説明する。
【００２０】
図１は、本発明の呼接続装置が接続された電話システムの実施の一形態を示す図である。
【００２１】
本形態は図１に示すように、発信番号が「０００１」である発信端末Ａ１０1と、呼接続装置２０１と、着信番号が「１００２」である着信端末Ｂ１００２と、着信番号が「１００３」である着信端末Ｃ１００３と、着信番号が「１００４」である着信端末Ｄ１００４と、Ｗｅｂ用端末４０１とが、ＩＰ網３０１を介して接続されている。また、着信端末Ｂ１００２と、着信端末Ｃ１００３と、着信端末Ｄ１００４との代表着信番号「１００１」を有する代表グループ１００１が設けられている。
【００２２】
発信端末Ａ１０１は、ＩＰ網３０１と接続され、呼接続装置２０１を介して着信端末Ｂ１００２または着信端末Ｃ１００３または着信端末Ｄ１００４との間で、音声通信や映像通信を行う第１の通信端末である。ここで、発信端末Ａ１０１は、説明の便宜上、発信を行うものとするが、着信機能も有する。
【００２３】
呼接続装置２０１は、ＩＰ網３０１内に設置され、発信端末Ａ１０１からの呼接続要求信号を受信すると、受信した呼接続要求信号に含まれる着信番号に対応する着信端末へ呼接続要求信号を送信し、端末間の通信を確立する。
【００２４】
代表グループ１００１は、複数の着信端末（本形態においては、着信端末Ｂ１００２、着信端末Ｃ１００３および着信端末Ｄ１００４）から構成される。代表グループ１００１の代表着信番号である「１００１」に呼の接続があった場合、代表グループ１００１内の着信端末のうちから着信可能な１台を選択して通信を提供する。着信する着信端末の選択は、呼接続装置２０１で行われる。
【００２５】
着信端末Ｂ１００２、着信端末Ｃ１００３および着信端末Ｄ１００４は、ＩＰ網３０１と接続され、呼接続装置２０１を介して発信端末Ａ１０１との間で、音声通信や映像通信を行う第２の通信端末である。また、着信端末Ｂ１００２、着信端末Ｃ１００３および着信端末Ｄ１００４は、代表グループ１００１を構成する端末群である。ここで、着信端末Ｂ１００２、着信端末Ｃ１００３および着信端末Ｄ１００４は、説明の便宜上、着信を行うものとするが、発信機能も有する。
【００２６】
Ｗｅｂ用端末４０１は、ＩＰ網３０１とＨＴＭＬ等のＷｅｂインタフェースによって接続する端末である。Ｗｅｂ用端末４０１は、呼接続装置２０１内に格納されたデータの追加・変更・削除操作が可能である。また、Ｗｅｂ用端末４０１は、ＩＰ網３０１とＨＴＭＬ等のＷｅｂインタフェースによって接続する端末であれば、一般的なＰＣ等の端末であれば良い。
【００２７】
なお、代表グループ１００１を構成する着信端末の台数は３台に限らない。
【００２８】
図２は、図１に示した呼接続装置２０１の一構成例を示す図である。
【００２９】
図１に示した呼接続装置２０１には図２に示すように、呼接続処理部２１２と、端末情報記憶部２１４と、代表グループ情報記憶部２１５とが設けられている。
【００３０】
呼接続処理部２１２は、発信端末Ａ１０１から送信されてきた呼接続要求信号の分析、接続可否および接続先判定を行い、判定した接続先へ呼接続要求信号を送信する。
【００３１】
端末情報記憶部２１４は、端末番号毎に提供するサービスを記憶（格納）する。
【００３２】
図３は、図２に示した端末情報記憶部２１４の構造の一例を示す図である。
【００３３】
図２に示した端末情報記憶部２１４の構造は図３に示すように、端末番号と、提供サービス情報とが対応付けられて格納されたものとなっている。端末番号は、着信端末の着信番号であり、また代表グループ１００１の代表着信番号も含まれる。提供サービス情報は、端末に提供するサービスの情報である。
【００３４】
例えば、端末番号「１００１」と、提供サービス情報「代表選択着信、代表グループ１００１」とが対応付けられて格納されている。これは、端末番号が「１００１」である端末に提供されるサービスは、代表グループ１００１の代表選択着信サービスであることを示している。この「代表選択着信」は、代表グループ１００１に着信があった場合、代表グループ１００１が代表する複数の着信番号のうち、１つの着信番号を選択するものである。また、端末番号「１００２」と、提供サービス情報「転送サービス、転送先番号：１００５」とが対応付けられて格納されている。これは、端末番号が「１００２」である端末に提供されるサービスは、端末番号「１００２」への着信を転送先番号「１００５」へ転送する転送サービスであることを示している。
【００３５】
また、代表グループ情報記憶部２１５は、代表グループ１００１内の端末番号情報を記憶（格納）する。
【００３６】
図４は、図２に示した代表グループ情報記憶部２１５に格納された代表グループ着信番号検索データの構造の一例を示す図である。
【００３７】
図２に示した代表グループ情報記憶部２１５に格納された代表グループ着信番号検索データの構造は図４に示すように、代表グループ識別情報と、代表着信番号と、着信番号とが対応付けられて格納されたものとなっている。代表グループ識別情報は、代表グループを識別するために代表グループそれぞれに固有に付与された情報である。代表着信番号は、代表グループの着信番号である。これらは、Ｗｅｂ用端末４０１からあらかじめ設定（格納）されているものである。
【００３８】
例えば、代表グループ識別情報「１００１」と、代表着信番号「１００１」と、着信番号１「１００２」と、着信番号２「１００３」と、着信番号３「１００４」とが対応付けられて格納されている。これは、代表グループ識別情報が「１００１」である代表グループの代表着信番号が「１００１」であり、この代表グループ１００１に含まれる着信端末の着信番号は、「１００２」、「１００３」および「１００４」であることを示している。
【００３９】
図５は、図２に示した代表グループ情報記憶部２１５に格納された代表グループ内優先着信番号検索データの構造の一例を示す図である。
【００４０】
図２に示した代表グループ情報記憶部２１５に格納された代表グループ内優先着信番号検索データの構造は図５に示すように、代表グループ識別情報と、発信番号と、優先着信番号とが対応付けられて格納されたものとなっている。代表グループ識別情報は、図４に示した代表グループ着信番号検索データの代表グループ識別情報と同じものである。優先着信番号は、優先的に着信させる着信端末の着信番号である。これらは、Ｗｅｂ用端末４０１からあらかじめ設定（格納）されているものである。
【００４１】
例えば、代表グループ識別情報「１００１」と、発信番号「０００１」と、優先着信番号「１００３」とが対応付けられて格納されている。これは、発信番号が「０００１」である発信端末から、代表グループ識別情報が「１００１」である代表グループ（代表着信番号）へ呼接続が要求された場合、当該呼の優先接続先は着信番号が「１００３」である着信端末であることを示している。また、代表グループ識別情報「１００１」と、発信番号「０００５」と、優先着信番号「１００４」とが対応付けられて格納されている。これは、発信番号が「０００５」である発信端末から、代表グループ識別情報が「１００１」である代表グループ（代表着信番号）へ呼接続が要求された場合、当該呼の優先接続先は着信番号が「１００４」である着信端末であることを示している。
【００４２】
また、代表グループ識別番号の代わりに、代表着信番号が格納されるものであっても良い。
【００４３】
また、代表グループ情報記憶部２１５は、Ｗｅｂ用端末４０１からアクセス可能に構成されており、代表グループ情報記憶部２１５に格納された各データは、Ｗｅｂ用端末４０１から登録・変更・削除可能である。
【００４４】
なお、図２には、呼接続装置２０１を構成する構成要素のうち本発明に係わる構成要素のみを示した。
【００４５】
以下に、図５に示した代表グループ内優先着信番号検索データの格納方法について説明する。
【００４６】
図６は、図５に示した代表グループ内優先着信番号検索データの格納方法を説明するためのフローチャートである。
【００４７】
呼接続装置２０１にて、Ｗｅｂ用端末４０１からＩＰ網３０１を介して送信された発信番号と着信番号とが受信されると（ステップＳ１）、受信した発信番号と着信番号とが呼接続処理部２１２によって対応付けられて代表グループ情報記憶部２１５の代表グループ内優先着信番号検索データに格納（登録）される（ステップＳ２）。このとき、受信した着信番号は、優先着信番号として格納される。また、呼接続処理部２１２によって、受信した着信番号に基づいて、代表グループ情報記憶部２１５の代表グループ着信番号検索データが検索され、当該着信番号と対応付けられた代表グループ識別情報が取得される。取得された代表グループ識別情報も、当該発信番号と当該着信番号とに対応付けられて代表グループ内優先着信番号検索データに格納される。代表着信番号が、当該発信番号と当該着信番号とに対応付けられて格納されても良い。
【００４８】
以下に、図２に示した呼接続装置２０１における着信選択方法について説明する。ここでは、発信端末Ａ１０１から代表グループ１００１へ呼接続が要求された場合を例に挙げて説明する。
【００４９】
図７は、図２に示した呼接続装置２０１における着信選択方法を説明するためのフローチャートである。
【００５０】
まず、発信端末Ａ１０１から送信された呼接続要求信号が受信されると（ステップＳ１１）、受信された呼接続要求信号に含まれる着信番号に基づいて、呼接続処理部２１２によって当該着信番号に応じた提供サービス情報が端末情報記憶部２１４から検索される（ステップＳ１２）。この例では、代表グループ１００１の着信番号に応じた提供サービスが検索される。
【００５１】
端末情報記憶部２１４にて検索された提供サービス情報は、端末情報記憶部２１４から呼接続処理部２１２へ通知される（ステップＳ１３）。ここで、図３に示した情報を例に挙げると、「代表選択着信、代表グループ１００１」が通知される。
【００５２】
通知された提供サービスが「代表選択着信」であるため、着信番号に基づいて、代表グループ情報記憶部２１５の代表グループ着信番号検索データから、代表グループ識別情報が検索される。続いて、受信された呼接続要求信号に含まれる発信番号と検索された代表グループ識別情報とに基づいて、代表グループ情報記憶部２１５の代表グループ内優先着信番号検索データから、優先着信番号が検索される（ステップＳ１４）。この検索によって、発信番号と代表グループ識別情報とに対応付けられた優先着信番号が登録されているかどうかが判別される（ステップＳ１５）。ここで、図５に示した情報を例に挙げると、発信番号「０００１」と代表グループ識別情報「１００１」とに対応付けられた着信番号「１００３」が優先着信番号として登録されていると判別される。
【００５３】
発信番号と代表グループ識別情報とに対応付けられた優先着信番号が登録されていると判別された場合、着信番号「１００３」が代表グループ情報記憶部２１５から呼接続処理部２１２へ通知される（ステップＳ１６）。
【００５４】
そして、通知された着信番号「１００３」へ呼接続処理部２１２から呼接続要求信号が送信される（ステップＳ１７）。その後、発信端末Ａ１０１と着信端末Ｃ１００３との間にて通信が確立されたかどうかが判別され（ステップＳ１８）、通信が確立されたと判別された場合、発信端末Ａ１０１と着信端末Ｃ１００３との間にて通信が開始される。ここで、通信が確立されたかどうかの判別方法については、一般的な方法を用いるものであれば良く、ここでは特に規定しない。
【００５５】
一方、ステップＳ１５にて、発信番号と代表グループ識別情報とに対応付けられた優先着信番号が登録されていないと判別された場合は、呼接続処理部２１２によって代表グループ情報記憶部２１５の代表グループ着信番号検索データから代表グループ識別情報「１００１」と対応付けられて格納されている着信番号が取得される（ステップＳ１９）。ここで、図４に示した情報を例に挙げると、着信番号「１００２」、「１００３」および「１００４」が取得される。
【００５６】
また、ステップＳ１８にて通信が確立されたと判別されない場合は、ステップＳ１９の処理が行われる。
【００５７】
そして、取得された着信番号の中から任意の着信番号が呼接続処理部２１２によって選択され、選択された着信番号へ呼接続要求信号が呼接続処理部２１２から送信される（ステップＳ２０）。ここで、着信番号を任意に選択する方法については、特に規定しない。ラウンドロビン方式を用いるものであっても良いし、乱数表を用いるものであっても良く、一般的な方法を用いるものであっても良い。その後、発信端末Ａ１０１と任意に選択された着信端末との間にて通信が開始される。
【００５８】
以下に、以上説明した着信選択方法について、発信端末Ａ１０１と呼接続装置２０１と着信端末Ｃ１００３とにおける動作シーケンスについて説明する。
【００５９】
図８は、発信端末Ａ１０１と呼接続装置２０１と着信端末Ｃ１００３とにおける着信選択方法を説明するためのシーケンス図である。
【００６０】
発信端末Ａ１０１から呼接続装置２０１へ代表グループ１００１への呼接続要求信号が送信されると（ステップＳ８１）、呼接続処理部２１２によって端末情報記憶部２１４に格納された内容に基づいて、代表選択着信が起動する（ステップＳ８２）。これは、発信端末Ａ１０１から送信されてきた呼接続要求信号に含まれる着信番号について端末情報記憶部２１４の中が検索されることにより、当該着信信号が代表選択着信を行うものであることが認識されることによるものである。
【００６１】
そして、呼接続処理部２１２によって、当該着信信号に対応付けられて代表グループ情報記憶部２１５に格納されている代表グループ内優先着信番号検索データから優先着信番号が抽出される（ステップＳ８３）。ステップＳ８３の具体的な処理は、図７に示したフローチャートを用いて説明したステップＳ１２〜Ｓ１６の処理である。抽出された着信番号の着信端末（この場合、着信端末Ｃ１００３）へ呼接続要求信号が送信され（ステップＳ８４）、着信端末Ｃ１００３から応答が呼接続装置２０１を介して発信端末Ａ１０１へ送信される（ステップＳ８５）。これにより、発信端末Ａ１０１と着信端末Ｃ１００３との間にて通信が行われる。
【００６２】
このように、発信端末から代表着信番号への呼接続が要求された場合、呼接続装置にあらかじめ格納されている代表着信番号と発信番号と着信番号との対応付けに基づいて、当該発信端末に付与された発信番号と対応付けられた着信番号が付与された着信端末へ呼接続装置から呼接続が要求される。そのため、あらかじめ登録した発信番号が付与された発信端末からの発信については、代表選択を実施することなく、当該発信番号とあらかじめ対応付けられて登録されている着信番号が付与された着信端末に着信させることができる。また、特定の着信者に着信できない場合には、代表選択を実施することにより、着信完了率を向上させることも可能である。
【図面の簡単な説明】
【００６３】
【図１】本発明の呼接続装置が接続された電話システムの実施の一形態を示す図である。
【図２】図１に示した呼接続装置の一構成例を示す図である。
【図３】図２に示した端末情報記憶部の構造の一例を示す図である。
【図４】図２に示した代表グループ情報記憶部に格納された代表グループ着信番号検索データの構造の一例を示す図である。
【図５】図２に示した代表グループ情報記憶部に格納された代表グループ内優先着信番号検索データの構造の一例を示す図である。
【図６】図５に示した代表グループ内優先着信番号検索データの格納方法を説明するためのフローチャートである。
【図７】図２に示した呼接続装置における着信選択方法を説明するためのフローチャートである。
【図８】発信端末Ａと呼接続装置と着信端末Ｃとにおける着信選択方法を説明するためのシーケンス図である。
【符号の説明】
【００６４】
１０１    発信端末Ａ
２０１    呼接続装置
２１２    呼接続処理部
２１４    端末情報記憶部
２１５    代表グループ情報記憶部
３０１    ＩＰ網
４０１    Ｗｅｂ用端末
１００１    代表グループ
１００２    着信端末Ｂ
１００３    着信端末Ｃ
１００４    着信端末Ｄ
【図１】
2009225293.tif 000003
【図２】
2009225293.tif 000004
【図３】
2009225293.tif 000005
【図４】
2009225293.tif 000006
【図５】
2009225293.tif 000007
【図６】
2009225293.tif 000008
【図７】
2009225293.tif 000009
【図８】
2009225293.tif 000010